(57)【要約】【課題】近距離被写体に対して光を照明することを可能とする撮像装置を提供する。【解決手段】マクロ撮影が可能な撮影レンズ（２１）を搭載した撮像装置であり、近距離被写体に対して光を発光する発光素子（２３）を撮影レンズ（２１）の周辺（２２）に配置したことを特徴とする。【選択図】図２
2007171518.tif 000002
【特許請求の範囲】
【請求項１】
マクロ撮影が可能な撮影レンズを有する撮像装置であって、
近距離被写体に対して光を発光する発光素子が前記撮影レンズの周辺に配置されてなることを特徴とする撮像装置。
【請求項２】
前記発光素子は、前記撮像レンズが配置される鏡胴内に配置されてなることを特徴とする請求項１記載の撮像装置。
【請求項３】
前記近距離被写体との距離に応じて前記発光素子から発光する発光状態を制御する発光状態制御手段を有することを特徴とする請求項１または２記載の撮像装置。
【請求項４】
前記発光状態制御手段により制御する前記発光状態を、前記近距離被写体と前記発光素子との距離に応じて補正する発光状態補正手段を有することを特徴とする請求項３記載の撮像装置。
【請求項５】
前記近距離被写体と前記発光素子との距離に応じて、前記発光素子から発光する発光状態を制御する発光状態制御手段を有することを特徴とする請求項１または２記載の撮像装置。
【請求項６】
前記発光素子は、１チップの白色ＬＥＤ、または、ＲＧＢの各チップを搭載したＬＥＤであることを特徴とする請求項１から５の何れか１項に記載の撮像装置。
【請求項７】
マクロ撮影が可能な撮影レンズと、近距離被写体に対して光を発光する発光素子と、を有し、前記発光素子は、前記撮影レンズの周辺に配置されてなる撮像装置で行う制御方法であって、
前記近距離被写体との距離に応じて前記発光素子から発光する発光状態を制御する発光状態制御工程を、前記撮像装置が行うことを特徴とする制御方法。
【請求項８】
前記発光状態制御工程により制御する前記発光状態を、前記近距離被写体と前記発光素子との距離に応じて補正する発光状態補正工程を、前記撮像装置が行うことを特徴とする請求項７記載の制御方法。
【請求項９】
マクロ撮影が可能な撮影レンズと、近距離被写体に対して光を発光する発光素子と、を有し、前記発光素子は、前記撮影レンズの周辺に配置されてなる撮像装置で行う制御方法であって、
前記近距離被写体と前記発光素子との距離に応じて、前記発光素子から発光する発光状態を制御する発光状態制御工程を、前記撮像装置が行うことを特徴とする制御方法。
【請求項１０】
マクロ撮影が可能な撮影レンズと、近距離被写体に対して光を発光する発光素子と、を有し、前記発光素子は、前記撮影レンズの周辺に配置されてなる撮像装置において実行させる制御プログラムであって、
前記近距離被写体との距離に応じて前記発光素子から発光する発光状態を制御する発光状態制御処理を、前記撮像装置において実行させることを特徴とする制御プログラム。
【請求項１１】
前記発光状態制御処理により制御する前記発光状態を、前記近距離被写体と前記発光素子との距離に応じて補正する発光状態補正処理を、前記撮像装置において実行させることを特徴とする請求項１０記載の制御プログラム。
【請求項１２】
マクロ撮影が可能な撮影レンズと、近距離被写体に対して光を発光する発光素子と、を有し、前記発光素子は、前記撮影レンズの周辺に配置されてなる撮像装置において実行させる制御プログラムであって、
前記近距離被写体と前記発光素子との距離に応じて、前記発光素子から発光する発光状態を制御する発光状態制御処理を、前記撮像装置において実行させることを特徴とする制御プログラム。
【発明の詳細な説明】
【技術分野】
【０００１】
本発明は、ストロボ内蔵型の撮像装置に関し、特に、ズームレンズを有し、マクロ撮影を可能とする撮像装置、その撮像装置の制御方法及び制御プログラムに関するものである。
【背景技術】
【０００２】
小型、軽量という利点を持つストロボ内蔵型の撮像装置は、その手軽さゆえに産業上急速に普及している。以下、図１を参照しながら、ストロボ内蔵型の撮像装置について説明する。
【０００３】
ストロボ内蔵型の撮像装置は、図１に示すように、撮影レンズ（１）と、ストロボ発光部（７）と、が間隔（Ｌ）だけ離れて撮像装置本体（１０）に配置される。また、撮影レンズ（１）により得られた被写体像は、ＣＣＤ（２）が受光することになる。
【０００４】
なお、ストロボ発光部（７）は、例えば、フレネルレンズ（４）、Ｘｅ管（５）、反射笠（５）等から構成される。
【０００５】
Ｘｅ管（５）から発光された光は、フレネルレンズ（４）で屈折作用を受け、『被写体』に照射される。フレネルレンズ（４）は、Ｘｅ管（５）から発光された光を効率良く『被写体』に照射する機能を有して構成される。
【０００６】
なお、ストロボ発光部（７）から照射するストロボ光の照射範囲は、フレネルレンズ（４）、反射笠（６）からなる集光光学系により制御され、撮影レンズ（１）の画角に合わせて、撮影機会の多い被写体距離（９ａ）の撮影時に適正な光量分布が得られるように設定される。
【０００７】
また、ストロボ内蔵型の撮像装置は、ズームレンズを搭載したものが多く、それに伴い、ストロボ発光部（７）から照射するストロボ光も撮影レンズ（１）の各焦点距離において適正な光量分布が得られるように、ズーム化されたものが多くなっている。
【０００８】
ここで、ストロボ内蔵型の撮像装置は、撮影レンズ（１）の光軸（３）と、ストロボ発光部（７）の光軸（８）と、が間隔（Ｌ）だけ離れて撮像装置本体（１０）内に配置されるため、被写体距離が、ストロボ発光部（７）の照射範囲の設計基準である被写体距離（９ａ）より遠い場合には、撮影画角の全域がストロボ光で照明されることになるが、被写体距離が近い場合（例えば、図１に示す９ｂ，９ｃ）には、撮影画角とストロボ照射範囲にパララックスが発生してしまうことになる。
【０００９】
この場合、ストロボ発光部（７）から照射するストロボ光は、撮影範囲の全域をカバーできなくなり、画面内で被写体が均一に照明されなくなる。そしてこの状態で撮影した画像は照度ムラの大きいものとなる。
【００１０】
例えば、『被写体』が被写体距離（９ｂ）にある場合には、『被写体』のストロボ側の半分の領域は、照明されることになるが、撮影レンズ（１）側の半分の領域は、照明されないことになる。さらに、被写体距離が、撮像装置本体（１０）側に近づき、『被写体』が被写体距離（９ｃ）に至れば、ついには全く照明効果が得られなくなる。このため、微小物のマクロ撮影や至近距離での撮影時においては、ストロボ発光部（７）から照射するストロボ光を用いて良好な画像を撮像することは困難となる。
【００１１】
なお、マクロ撮影領域や至近距離での撮影範囲に照射範囲を一致させ、それより遠距離側を全てカバーするようにフレネルレンズ（４）や反射笠（６）を設計することも可能であるが、Ｘｅ管（５）の発光量が通常と同じであれば照射範囲を広くした分だけ、光量の届く距離が短くなってしまうことになる。
【００１２】
これを改善するために光量アップを図ろうと試みると、Ｘｅ管（５）のサイズや発光回路のコンデンサを大きくしたり、電源の容量を増やしたりする必要が生じ、この結果、撮像装置のサイズが大きくなってしまい、コンパクト化を図ることが困難となってしまうことになる。
【００１３】
このようなことから、本発明より先に出願された技術文献として、ズーム駆動カム領域とフォーカス駆動カム領域とが交互に形成されたレンズ駆動カム部材を用いて撮影レンズの段階的なズーミングおよび各ズーム段でのフォーカシングを行うレンズ駆動機構と、このレンズ駆動機構のズーミング動作に連動してストロボ装置の配光角度を変更する配光角変更機構とを備えたカメラにおいて、前記配光角変更機構は、前記レンズ駆動機構のフォーカシング動作に連動して作動し、前記ストロボ装置の配光角度を、被写体距離が遠距離側のときよりも近距離側のときの方が広角になるように変更し、近距離被写体に対して適正な露光量での撮像を可能とするカメラが開示された文献がある（例えば、特許文献１参照）。
【特許文献１】特開２００１−３５０１８４号公報
【発明の開示】
【発明が解決しようとする課題】
【００１４】
なお、上記特許文献１は、ストロボ装置の配光角度を変更する配光角変更機構を新たに搭載し、レンズ駆動機構のフォーカシング動作に連動して作動し、ストロボ装置の配光角度を、被写体距離が遠距離側のときよりも近距離側のときの方が広角になるように変更し、近距離被写体に対して適正な露光量での撮像を可能としているが、撮影レンズの周辺に対し、被写体を照明するための発光素子を設けることについては何ら考慮されたものではない。
【００１５】
本発明は、上記事情に鑑みてなされたものであり、ストロボ装置に対して新たな機能を搭載することなく、近距離被写体に対して光を照明することを可能とする撮像装置、その撮像装置で行う制御方法及び制御プログラムを提供することを目的とするものである。
【課題を解決するための手段】
【００１６】
かかる目的を達成するために、本発明は以下の特徴を有することとする。
【００１７】
本発明にかかる撮像装置は、マクロ撮影が可能な撮影レンズを有する撮像装置であって、近距離被写体に対して光を発光する発光素子が撮影レンズの周辺に配置されてなることを特徴とするものである。
【００１８】
また、本発明にかかる撮像装置において、発光素子は、撮像レンズが配置される鏡胴内に配置されてなることを特徴とするものである。
【００１９】
また、本発明にかかる撮像装置は、近距離被写体との距離に応じて発光素子から発光する発光状態を制御する発光状態制御手段を有することを特徴とするものである。
【００２０】
また、本発明にかかる撮像装置は、発光状態制御手段により制御する発光状態を、近距離被写体と発光素子との距離に応じて補正する発光状態補正手段を有することを特徴とするものである。
【００２１】
また、本発明にかかる撮像装置は、近距離被写体と発光素子との距離に応じて、発光素子から発光する発光状態を制御する発光状態制御手段を有することを特徴とするものである。
【００２２】
また、本発明にかかる撮像装置において、発光素子は、１チップの白色ＬＥＤ、または、ＲＧＢの各チップを搭載したＬＥＤであることを特徴とするものである。
【００２３】
また、本発明にかかる制御方法は、マクロ撮影が可能な撮影レンズと、近距離被写体に対して光を発光する発光素子と、を有し、発光素子は、撮影レンズの周辺に配置されてなる撮像装置で行う制御方法であって、近距離被写体との距離に応じて発光素子から発光する発光状態を制御する発光状態制御工程を、撮像装置が行うことを特徴とするものである。
【００２４】
また、本発明にかかる制御方法は、発光状態制御工程により制御する発光状態を、近距離被写体と発光素子との距離に応じて補正する発光状態補正工程を、撮像装置が行うことを特徴とするものである。
【００２５】
また、本発明にかかる制御方法は、マクロ撮影が可能な撮影レンズと、近距離被写体に対して光を発光する発光素子と、を有し、発光素子は、撮影レンズの周辺に配置されてなる撮像装置で行う制御方法であって、近距離被写体と発光素子との距離に応じて、発光素子から発光する発光状態を制御する発光状態制御工程を、撮像装置が行うことを特徴とするものである。
【００２６】
また、本発明にかかる制御プログラムは、マクロ撮影が可能な撮影レンズと、近距離被写体に対して光を発光する発光素子と、を有し、発光素子は、撮影レンズの周辺に配置されてなる撮像装置において実行させる制御プログラムであって、近距離被写体との距離に応じて発光素子から発光する発光状態を制御する発光状態制御処理を、撮像装置において実行させることを特徴とするものである。
【００２７】
また、本発明にかかる制御プログラムは、発光状態制御処理により制御する発光状態を、近距離被写体と発光素子との距離に応じて補正する発光状態補正処理を、撮像装置において実行させることを特徴とするものである。
【００２８】
また、本発明にかかる制御プログラムは、マクロ撮影が可能な撮影レンズと、近距離被写体に対して光を発光する発光素子と、を有し、発光素子は、撮影レンズの周辺に配置されてなる撮像装置において実行させる制御プログラムであって、近距離被写体と発光素子との距離に応じて、発光素子から発光する発光状態を制御する発光状態制御処理を、撮像装置において実行させることを特徴とするものである。
【発明の効果】
【００２９】
本発明によれば、近距離被写体に対して光を発光する発光素子を撮影レンズの周辺に配置することで、近距離被写体に対して光を照明することが可能となる。
【発明を実施するための最良の形態】
【００３０】
まず、図２を参照しながら、本実施形態における撮像装置の特徴について説明する。
【００３１】
本実施形態における撮像装置は、マクロ撮影が可能な撮影レンズ（２１）を搭載した撮像装置であり、近距離被写体に対して光を発光する発光素子（２３）を撮影レンズ（２１）の周辺（２２）に配置したことを特徴とするものである。これにより、近距離被写体に対して光を照明することが可能となる。以下、添付図面を参照しながら、本実施形態における撮像装置について説明する。
【００３２】
（第１の実施形態）
まず、図２、図３を参照しながら、本実施形態における撮像装置の構成について説明する。なお、図２は、本実施形態における撮像装置の正面図を示し、図３は、本実施形態における撮像装置の断面図を示す。
【００３３】
本実施形態における撮像装置は、図２、図３に示すように、ストロボ光を発光するストロボ発光部（２０）と、マクロ撮影が可能な撮影レンズ（２１）と、撮影レンズ（２１）において撮影した撮影画像を受光するＣＣＤ（２４）と、を有して構成される。
【００３４】
なお、本実施形態における撮像装置は、図２に示すように、撮影レンズ（２１）の周辺（２２）に対し、照明ＬＥＤ（２３）を配置し、近距離被写体に対して光を発光することになる。このように、本実施形態における撮像装置は、照明ＬＥＤ（２３）を、撮影レンズ（２１）の周辺（２２）に配置することで、撮像装置のコンパクト化を図りつつ、近距離被写体に対して光を発光することが可能となる。
【００３５】
なお、ストロボ発光部（２０）は、例えば、図３に示すように、フレネルレンズ（２０１）、Ｘｅ管（２０２）、反射笠（２０３）等から構成され、Ｘｅ管（２０２）から発光された光は、フレネルレンズ（２０１）で屈折作用を受け、『被写体』に照射されることになる。
【００３６】
また、照明ＬＥＤ（２３）は、図３に示すように、ＬＥＤ（２３１）と、投光レンズ（２３２）と、を有して構成され、ＬＥＤ（２３１）から発光されたＬＥＤ光は、投光レンズ（２３２）で屈折作用を受け、『被写体』に照射されることになる。なお、照明ＬＥＤ（２３）は、図３に示すように、鏡胴内に設けることで、鏡胴によるケラレの発生を解消することが可能となる。
【００３７】
なお、照明ＬＥＤ（２３）は、図４、図５に示すように、投光レンズ（２３２）の前面に、拡散板（２３３）を配置し、ＬＥＤ（２３１）から発光する光の指向性を改善し、照明ＬＥＤ（２３）から『被写体』に照射される光の照明ムラを軽減するようにすることも可能である。なお、図４は、照明ＬＥＤ（２３）を、撮影レンズ（２１）の上側に配置した状態の構成を示し、図５は、照明ＬＥＤ（２３）を、撮影レンズ（２１）の左側に配置した状態の構成を示す。
【００３８】
なお、図４に示すように、照明ＬＥＤ（２３）を、撮影レンズ（２１）の上下に配置することでも、被写体をカバーすることは可能であるが、図５に示すように、照明ＬＥＤ（２３）を、撮影レンズ（２１）の左右に配置し、照明ＬＥＤ（２３）の光軸（２５）を傾けるように構築することで、被写体をカバーすることが可能な範囲を更に広げることが可能となる。
【００３９】
また、図５に示すように、マクロ撮影範囲（２７）で、照明ＬＥＤ（２３）の光軸（２５）を、撮影レンズ（２１）の光軸（２６）と交叉させように構築することで、照明ＬＥＤ（２３）の光軸（２５）と撮影レンズ（２１）の光軸（２６）とが交叉する前後の位置でも、照明ＬＥＤ（２３）から発光する光を照写体に照射することが可能となる。
【００４０】
次に、図６を参照しながら、本実施形態における撮像装置の制御動作について説明する。なお、図６は、撮像装置の制御回路の構成を示す図である。
【００４１】
本実施形態における撮像装置は、操作部（３０）と、外部ＡＦ（３１）と、制御部（３２）と、ストロボ発光部（３３）と、照明ＬＥＤ（３４）と、表示部（３５）と、記憶部（３６）と、ＣＣＤ（３７）と、フォーカス部（３８）と、を有して構成される。
【００４２】
操作部（３０）は、撮像装置における各種操作を行うものであり、操作部（３０）から操作された操作情報は、制御部（３２）に出力される。
【００４３】
外部ＡＦ（３１）は、撮影レンズ（２１）から被写体までの距離を測定するものであり、その測定した距離情報は、制御部（３２）に出力される。
【００４４】
制御部（３２）は、本実施形態における撮像装置の各種制御を行うものである。
【００４５】
ストロボ発光部（３３）は、ストロボ光を被写体に照射するものであり、制御部（３２）からの制御により、ストロボ発光部（３３）からストロボ光が被写体に照射される。
【００４６】
照明ＬＥＤ（３４）は、ＬＥＤ光を被写体に照射するものであり、制御部（３２）からの制御により、照明ＬＥＤ（３４）からＬＥＤ光が被写体に照射される。
【００４７】
表示部（３５）は、各種情報を表示するものであり、制御部（３２）からの制御により、表示部（３５）に各種情報が表示される。
【００４８】
記憶部（３６）は、各種情報を記憶するものである。
【００４９】
ＣＣＤ（３７）は、撮影レンズ（２１）が撮影した撮影画像を受光するものであり、その受光した撮影画像の情報は、制御部（３２）に出力される。
【００５０】
フォーカス部（３８）は、撮影レンズ（２１）から被写体までの距離を制御するものであり、制御部（３２）からの制御により、フォーカス部（３８）が、撮影レンズ（２１）から被写体までの距離を調整する。
【００５１】
本実施形態における撮像装置は、制御部（３２）が、ストロボ発光部（３３）と、照明ＬＥＤ（３４）と、を制御し、ストロボ発光時とＬＥＤ発光時とを切り替えることになる。
【００５２】
また、制御部（３２）は、ＣＣＤ（３７）から入力される撮影画像の情報と、外部ＡＦ（３１）から入力される距離情報と、を基に、フォーカス部（３８）を制御し、撮影レンズ（２１）の位置を調整したり、ストロボ発光部（３３）または照明ＬＥＤ（３４）から光を照射するかを決定したりする。
【００５３】
また、制御部（３２）は、ＣＣＤ（３８）から入力される画像情報を基に、画像処理を行い、その画像処理を行った画像情報を記憶部（３６）に記憶する。
【００５４】
次に、図７を参照しながら、本実施形態の撮像装置における制御動作について説明する。なお、図７は、被写体に照明する光の選択動作と、撮影動作と、の制御動作を示す図である。
【００５５】
まず、制御部（３２）は、ＣＣＤ（３７）から入力される撮影画像の情報と、外部ＡＦ（３１）から入力される距離情報と、を基に、フォーカス部（３８）を制御し、撮影レンズ（２１）の位置を調整し、フォーカス調整を行う（ステップＳ１）。
【００５６】
次に、制御部（３２）は、低輝度照明撮影か否かを判断し（ステップＳ２）、低輝度照明撮影でないと判断した場合は（ステップＳ２／Ｎｏ）、制御部（３２）は、通常の一般撮影を行うように制御し、一般撮影を開始することになる（ステップＳ３）。
【００５７】
なお、ステップＳ２における低輝度照明撮影か否かは、被写体の明るさと、設定モードと、を基に判断する。
【００５８】
例えば、被写体の明るさが暗い場合には、低輝度照明撮影であると判断し、設定モードが、強制発光モードに設定されている場合には、低輝度照明撮影であると判断する。
【００５９】
被写体の明るさは、ＣＣＤ（３７）から入力される撮影画像の情報を基に判断することになり、制御部（３２）は、撮影画像の情報から画像輝度情報（撮影画像の高度レベルを示す情報）を取得し、該取得した画像輝度情報を基に、予め設定されている低輝度発光輝度レベルを参照し、該取得した画像輝度情報が、低輝度発光輝度レベルであると判断した場合に、低輝度照明撮影であると判断することになる。
【００６０】
通常、手ぶれが発生するシャッタースピードより遅いシャッタースピードとなる明るさよりも被写体の明るさが暗い場合には、ストロボ光を発光する値となる。例えば、ズームワイド端で１／３０秒，ズームテレ端で１／９０秒に設定される。
【００６１】
また、設定モードは、操作部（３０）から入力される操作情報を基に設定したり、外部ＡＦ（３１）から入力される距離情報と、設定モードと、が対応づけられた対応テーブルを記憶部（３６）に予め記憶し、外部ＡＦ（３１）から入力される距離情報を基に、記憶部（３６）に予め記憶されている対応テーブルを参照し、外部ＡＦ（３１）から入力された距離情報に応じた設定モードに設定したりすることになる。例えば、外部ＡＦ（３１）から入力された距離情報が３０ｃｍ未満の場合には、マクロ撮影モードとし、３０ｃｍ以上の場合には、ストロボ照明設定モードとする。
【００６２】
なお、ステップＳ２において、制御部（３２）は、低輝度照明撮影であると判断した場合は（ステップＳ２／Ｙｅｓ）、低輝度照明撮影がマクロ撮影か否かを判断し（ステップＳ４）、マクロ撮影であると判断した場合は（ステップＳ４／Ｙｅｓ）、ＬＥＤ照明を選択し（ステップＳ５）、照明ＬＥＤの発光状態を設定し（ステップＳ６）、該設定した発光状態で、照明ＬＥＤによる撮影を開始することになる（ステップＳ７）。
【００６３】
また、制御部（３２）は、マクロ撮影でないと判断した場合は（ステップＳ４／Ｎｏ）、ストロボ照明を選択し、（ステップＳ８）、ストロボ光による撮影を開始することになる（ステップＳ７）。なお、ストロボ光による撮影の場合は、従来と同様な制御で行う。
【００６４】
なお、ステップＳ６における照明ＬＥＤの発光状態の設定は、照明ＬＥＤの発光状態と、被写体を撮像する際の撮影条件により決定される発光光量と、が対応づけられた対応テーブルを記憶部（３６）に予め記憶しておき、制御部（３２）は、被写体を撮像する際の撮影条件により決定される発光光量を基に、記憶部（３６）に記憶した対応テーブルを参照し、撮像条件により決定される発光光量に対応づけられた照明ＬＥＤの発光状態を選択し、該選択した発光状態にて照明ＬＥＤ（２３）から光を発光するように制御することで、被写体を撮像する際に、適切な発光状態で照明ＬＥＤ（２３）から光を発光することになる。
【００６５】
なお、ＧＮＯ（発光光量）：１０、Ｆ値：２２、ＩＳＯ：１００の場合の撮像装置では、撮影距離：Ａは、Ａ＝ＧＮＯ／Ｆ値＝１０／２２＝０．４５ｍとなる。
【００６６】
ここで、ＧＮＯ制御可能なストロボとすると、５段階のＧＮＯ制御が可能な場合には、ストロボ撮影が可能な撮影距離：Ａは、０．０８ｍまでとなる。このため、撮影距離：Ａが０．０８ｍ以下の場合には、照明ＬＥＤ（２３）を用いて撮影することになる。
【００６７】
現在、ＤＣでは、撮影距離（鏡胴全面から被写体までの距離）：Ａが０．０１ｍの仕様があるため、照明ＬＥＤ（２３）は、この領域で使用することになる。
【００６８】
このように、本実施形態における撮像装置は、被写体との撮影距離に応じて、ストロボ発光部（２０）と、照明ＬＥＤ（２３）と、を制御し、ストロボ発光部（２０）から光を発光するか、照明ＬＥＤ（２３）から光を発光するか、を適宜選択し、照明ＬＥＤ（２３）を選択する場合には、被写体との撮影距離に応じて、照明ＬＥＤ（２３）から発光する発光状態を制御して光を発光することで、近距離被写体を撮像する際に、適切な発光状態で照明ＬＥＤ（２３）から光を発光して撮像することが可能となる。
【００６９】
なお、上述した制御動作では、ステップＳ４において、マクロ撮影であると判断した場合は（ステップＳ４／Ｙｅｓ）、ＬＥＤ照明を選択し（ステップＳ５）、マクロ撮影でないと判断した場合は（ステップＳ４／Ｎｏ）、ストロボ照明を選択することとしたが（ステップＳ８）、ストロボ撮影でもマクロ領域の一部の領域までをカバーすることが可能である場合には、被写体との撮影距離を考慮し、ＬＥＤ照明と、ストロボ照明と、の選択条件を適宜変更することも可能である。
【００７０】
（第２の実施形態）
次に、第２の実施形態について説明する。
【００７１】
第２の実施形態における撮像装置は、被写体と照明ＬＥＤ（２３）との距離に応じて照明ＬＥＤ（２３）から発光する発光状態を補正することを特徴とする。これにより、照明ＬＥＤ（２３）から発光する発光状態を補正することが可能となる。以下、図８を参照しながら、第２の実施形態の撮像装置について説明する。
【００７２】
図８に示すように、撮影距離は、ＣＣＤ（２４）から被写体までの距離を示すが、鏡胴内に照明ＬＥＤ（２３）を配置すると、鏡胴の移動に伴い、照明ＬＥＤ（２３）も移動することになり、この照明ＬＥＤ（２３）の移動により、照明ＬＥＤ（２３）から被写体までの距離が変化することになる。このため、第１の実施形態のように、ＣＣＤ（２４）から被写体までの撮影距離に応じて、照明ＬＥＤ（２３）から発光する発光状態を制御して光を発光した場合には、照明ＬＥＤ（２３）の移動により、照明ＬＥＤ（２３）から発光する光の発光状態を変更する必要が生じることになる。このため、第２の実施形態における撮像装置は、照明ＬＥＤ（２３）から被写体までの距離に応じて、照明ＬＥＤ（２３）から発光する光の発光状態を補正することにする。
【００７３】
なお、発光状態の補正は、照明ＬＥＤ（２３）から被写体までの照明距離と、補正量と、が対応づけられた対応テーブルを記憶部（３６）に記憶し、被写体を撮影する際に、制御部（３２）が、被写体を撮影する際の照明ＬＥＤ（２３）から被写体までの照明距離に応じた補正量を基に、照明ＬＥＤ（２３）から発光する光の発光状態を補正し、該補正した発光状態にてＬＥＤ照明（２３）から光を発光することになる。
【００７４】
このように、第２の実施形態における撮像装置は、被写体と照明ＬＥＤ（２３）との距離に応じて照明ＬＥＤ（２３）から発光する発光状態を補正し、該補正した発光状態にて照明ＬＥＤ（２３）から光を発光することで、被写体と照明ＬＥＤ（２３）との距離に応じた発光状態で照明ＬＥＤ（２３）から光を発光して撮像することが可能となる。
【００７５】
（第３の実施形態）
次に、第３の実施形態について説明する。
【００７６】
第１の実施形態は、ＣＣＤ（２４）から被写体までの撮影距離に応じて、照明ＬＥＤ（２３）から発光する発光状態を制御して光を発光することにしたが、第３の実施形態における撮像装置は、照明ＬＥＤ（２３）から被写体までの照明距離に応じて、照明ＬＥＤ（２３）から発光する発光状態を制御することを特徴とする。これにより、第２の実施形態のように、発光状態の補正を行うことなく、被写体と照明ＬＥＤ（２３）との距離に応じた発光状態で照明ＬＥＤ（２３）から光を発光して撮像することが可能となる。以下、図８、９を参照しながら、第３の実施形態における撮像装置について説明する。
【００７７】
第３の実施形態における撮像装置は、まず、ＣＣＤ（２４）から被写体までの撮影距離を算出し（ステップＳ１１）、該算出した撮影距離を基に、照明ＬＥＤ（２３）から被写体までのＬＥＤ照明距離を算出する。なお、ＬＥＤ照明距離の算出は、以下の式（１）により算出する（ステップＳ１２）。
【００７８】
ＬＥＤ照明距離＝撮影距離−（ＣＣＤ（２４）から照明ＬＥＤ（２３）までの距離）・・・式（１）
但し、ＣＣＤ（２４）から照明ＬＥＤ（２３）までの距離は、規定値とする。
【００７９】
次に、上記算出したＬＥＤ照明距離と、露出条件と、を基に、発光光量を算出する（ステップＳ１３）。
【００８０】
なお、露出条件は、例えば、ＩＳＯ：１００の場合、Ｆ値（規定値）×距離＝ＧＮＯ（発光光量）となるため、発光光量：ＧＮＯは、Ｆ値×ＬＥＤ照明距離となる。
【００８１】
次に、上記算出した発光光量：ＧＮＯを基に、照明ＬＥＤ（２３）から発光する発光状態を設定する（ステップＳ１４）。
【００８２】
なお、上記の発光状態の設定は、第１の実施形態の制御動作を示す図７に示すステップＳ６と同様な処理を行うことになり、照明ＬＥＤの発光状態と、被写体を撮像する際の撮影条件により決定される発光光量：ＧＮＯと、が対応づけられた対応テーブルを記憶部（３６）に予め記憶しておき、制御部（３２）は、上記算出した発光光量：ＧＮＯを基に、記憶部（３６）に記憶した対応テーブルを参照し、上記算出した発光光量：ＧＮＯに対応づけられた照明ＬＥＤの発光状態を選択し、該選択した発光状態にて照明ＬＥＤ（２３）から光を発光するように制御することになる。これにより、被写体を撮像する際に、適切な発光状態で照明ＬＥＤ（２３）から光を発光することになる。
【００８３】
このように、第３の実施形態における撮像装置は、被写体から照明ＬＥＤ（２３）までの照明距離に応じて、照明ＬＥＤ（２３）から発光する発光状態を制御することで、被写体と照明ＬＥＤ（２３）との距離に応じた発光状態で照明ＬＥＤ（２３）から光を発光して撮像することが可能となる。
【００８４】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００８５】
例えば、上述した撮像装置に搭載される照明用ＬＥＤ（２３）を構成するＬＥＤ（２３１）は、１チップの白色ＬＥＤや、ＲＧＢの各チップを搭載したＬＥＤ等の発光素子が適用可能である。ＲＧＢの各チップを搭載したＬＥＤを照明ＬＥＤ（２３）を構成するＬＥＤ（２３１）として適用することで、照明用ＬＥＤ（２３）から発光する光を、ストロボ光の色温度に一致させることも可能になる。
【００８６】
また、上述した本実施形態の撮像装置における制御動作は、ハード構成ではなく、コンピュータプログラム等のソフトウェアにより実行することも可能であり、また、上記のプログラムは、光記録媒体、磁気記録媒体、光磁気記録媒体、または半導体等の記録媒体に記録し、その記録媒体からプログラムを、マクロ撮影が可能な撮影レンズ（２１）を搭載した撮像装置に読み込ませることで、上述した送制御動作を撮像装置において実行させることも可能である。また、所定のネットワークを介して接続されている外部機器から上記のプログラムを、マクロ撮影が可能な撮影レンズ（２１）を搭載した撮像装置に読み込ませることで、上述した制御動作を撮像装置において実行させることも可能である。
【００８７】
また、撮影レンズ（２１）の周辺（２２）に配置する照明ＬＥＤ（２３）は、図４、図５に示すように、左右、または、上下位置になるように回転制御させたり、複数の照明ＬＥＤ（２３）を配置した場合には、複数の照明ＬＥＤの中から特定の照明ＬＥＤを選択するように構築することも可能である。
【産業上の利用可能性】
【００８８】
本発明にかかる撮像装置、その撮像装置における制御方法及び制御プログラムは、マクロ撮影が可能な撮像レンズを搭載したカメラなどの機器に適用可能である。
【図面の簡単な説明】
【００８９】
【図１】ストロボ内蔵型の撮像装置を説明するための図である。
【図２】本実施形態における撮像装置の照明の構成を示す図である。
【図３】本実施形態における撮像装置の断面の構成を示す図である。
【図４】本実施形態の撮像装置の断面の構成を示す図であり、照明ＬＥＤ（２３）を、撮影レンズ（２１）の上側に配置した状態の構成を示す図である。
【図５】本実施形態の撮像装置の断面の構成を示す図であり、照明ＬＥＤ（２３）を、撮影レンズ（２１）の左側に配置した状態の構成を示す。
【図６】本実施形態の撮像装置の制御回路の構成を示す図である。
【図７】本実施形態の撮像装置における制御動作を説明するための図である。
【図８】第２の実施形態の撮像装置を説明するための図である。
【図９】第３の実施形態の撮像装置を説明するための図である。
【符号の説明】
【００９０】
２０    ストロボ発光部
２１    撮影レンズ
２２    撮影レンズの周辺
２３    照明ＬＥＤ
２４    ＣＣＤ
２５    照明ＬＥＤの光軸
２６    撮影レンズの光軸
２７    マクロ撮影範囲
２０１    フレネルレンズ
２０２    Ｘｅ管
２０３    反射笠
２３１    ＬＥＤ
２３２    投光レンズ
２３３    拡散板
３０    操作部
３１    外部ＡＦ
３２    制御部
３３    ストロボ発光部
３４    照明ＬＥＤ
３５    表示部
３６    記憶部
３７    ＣＣＤ
３８    フォーカス部
【図１】
2007171518.tif 000003
【図２】
2007171518.tif 000004
【図３】
2007171518.tif 000005
【図４】
2007171518.tif 000006
【図５】
2007171518.tif 000007
【図６】
2007171518.tif 000008
【図７】
2007171518.tif 000009
【図８】
2007171518.tif 000010
【図９】
2007171518.tif 000011